(57)【要約】【課題】動作調整作業を効率的に行い、かつ安全にユニットを調整することができる制御システムを提供する。【解決手段】制御システム２０は、制御装置１０と、制御装置１０に接続可能な複数の端末装置と、を備えている。制御装置１０は、処理プログラムを格納した記憶装置１１０と、処理プログラムに従って演算を実行する処理装置１２０と、を備えている。処理プログラムは、アクセス対象ユニットの排他的操作権を複数の端末装置のいずれにも付与していないことを条件として、複数の端末装置のうちの１つである対象端末装置から制御装置１０に送信された調整対象ユニットのアクセス対象ユニットへのアクセス操作権の要求に応じて、アクセス操作権を対象端末装置に付与する指令を含む。【選択図】図６
2020126897.tif 000002
【特許請求の範囲】
【請求項１】
半導体製造装置を構成する複数のユニットを制御する制御システムであって、
前記制御システムは、
制御装置と、
前記制御装置に接続可能な複数の端末装置と、を備えており、
前記制御装置は、前記複数の端末装置のうちいずれか２つが同時に前記複数のユニットのうちいずれか１つを操作することを許容しないインターロック機能を有し、
前記複数のユニットは、
アクセス対象ユニットと、
前記アクセス対象ユニットにアクセス可能な調整対象ユニットと、を含み、
前記制御装置は、
処理プログラムを格納した記憶装置と、
前記処理プログラムに従って演算を実行する処理装置と、を備えており、
前記処理プログラムは、前記アクセス対象ユニットの排他的操作権を前記複数の端末装置のいずれにも付与していないことを条件として、前記複数の端末装置のうちの１つである対象端末装置から前記制御装置に送信された前記調整対象ユニットの前記アクセス対象ユニットへのアクセス操作権の要求に応じて、前記アクセス操作権を前記対象端末装置に付与する指令を含む、制御システム。
【請求項２】
前記処理プログラムは、前記調整対象ユニットの排他的操作権を前記対象端末装置に付与していることを条件として、前記アクセス操作権を前記対象端末装置に付与する指令を含む、請求項１に記載の制御システム。
【請求項３】
前記複数のユニットは、
前記調整対象ユニットに相当する第１調整対象ユニットと、
第２調整対象ユニットと、をさらに含み、
前記処理プログラムは、前記第２調整対象ユニットの前記アクセス対象ユニットへのアクセス操作権を取得した他の端末装置が存在していないことを条件として、前記アクセス操作権を前記対象端末装置に付与する指令を含む、請求項１または２に記載の制御システム。
【請求項４】
前記複数の端末装置のそれぞれは、
前記複数のユニットを操作するためのユニット操作画像を生成する画像生成部と、
前記ユニット操作画像を表示する画像表示器と、を備え、
前記ユニット操作画像は、前記アクセス操作権を要求するか否かを示すアクセス操作権要求アイコンを含んでいる、請求項１乃至３のいずれか一項に記載の制御システム。
【請求項５】
前記アクセス操作権要求アイコンは、ボタン、チェックボックス、およびコンボボックスのいずれかであり、
前記画像生成部は、
画像表示プログラムを格納した記憶装置と、
前記画像表示プログラムに従って演算を実行する処理装置と、を備えており、
前記画像表示プログラムは、前記アクセス操作権の取得を条件に、前記アクセス操作権要求アイコンの表示を切り替える指令を含む、請求項４に記載の制御システム。
【請求項６】
前記ユニット操作画像は、前記調整対象ユニットの排他的操作権を要求するか否かを示す排他的操作権要求アイコンを含んでおり、
前記排他的操作権要求アイコンは、ボタン、チェックボックス、およびコンボボックスのいずれかであり、
前記画像表示プログラムは、前記排他的操作権の取得を条件に、前記排他的操作権要求アイコンの表示を切り替える指令を含む、請求項５に記載の制御システム。
【請求項７】
半導体製造装置を構成する複数のユニットを制御する制御システムの処理プログラムを記録した非一時的なコンピュータ読み取り可能な記録媒体であって、
コンピュータに、
前記制御システムに備えられた複数の端末装置のうちの１つである対象端末装置から、前記複数のユニットに含まれる調整対象ユニットのアクセス対象ユニットへのアクセス操作権を制御装置に要求し、
前記アクセス対象ユニットの排他的操作権を前記複数の端末装置のいずれにも付与していないことを条件として、前記アクセス操作権を前記対象端末装置に付与する処理を実行させる前記処理プログラムを記録した非一時的なコンピュータ読み取り可能な記録媒体。
【請求項８】
前記コンピュータに、前記調整対象ユニットの排他的操作権を前記対象端末装置に付与していることを条件として、前記アクセス操作権を前記対象端末装置に付与する処理を実行させる、請求項７に記載の記録媒体。
【請求項９】
前記コンピュータに、前記調整対象ユニットに相当する第１調整対象ユニットとは異なる第２調整対象ユニットの前記アクセス対象ユニットへのアクセス操作権を取得した他の端末装置が存在していないことを条件として、前記アクセス操作権を前記対象端末装置に付与する処理を実行させる、請求項７または８に記載の記録媒体。
【請求項１０】
半導体製造装置を構成する複数のユニットを制御する制御システムの方法であって、
前記制御システムに備えられた複数の端末装置のうちの１つである対象端末装置から、前記複数のユニットに含まれる調整対象ユニットのアクセス対象ユニットへのアクセス操作権を制御装置に要求し、
前記アクセス対象ユニットの排他的操作権を前記複数の端末装置のいずれにも付与していないことを条件として、前記アクセス操作権を前記対象端末装置に付与する、方法。
【請求項１１】
前記調整対象ユニットの排他的操作権を前記対象端末装置に付与していることを条件として、前記アクセス操作権を前記対象端末装置に付与する、請求項１０に記載の方法。
【請求項１２】
前記調整対象ユニットに相当する第１調整対象ユニットとは異なる第２調整対象ユニットの前記アクセス対象ユニットへのアクセス操作権を取得した他の端末装置が存在していないことを条件として、前記アクセス操作権を前記対象端末装置に付与する、請求項１０または１１に記載の方法。
【発明の詳細な説明】
【技術分野】
【０００１】
本発明は、半導体製造装置を構成する複数のユニットを制御する制御システム、該制御システムのプログラムを記録した記録媒体、および該制御システムの方法に関するものである。
【背景技術】
【０００２】
半導体製造装置は、ウェハなどの基板の研磨、洗浄、乾燥を含む一連の処理を実行することができる複合装置である。このような半導体製造装置は、処理ユニット、搬送ユニットなどの種々のユニットから構成されている。
【先行技術文献】
【特許文献】
【０００３】
【特許文献１】特開２００５−８５７８４号公報
【特許文献２】特開２０１５−１３８７８６号公報
【発明の概要】
【発明が解決しようとする課題】
【０００４】
半導体製造装置の動作調整作業において、半導体製造装置のユニットの操作を行う端末装置を限定するために、ユニットの操作権を端末装置に設定することが知られている（特許文献１および特許文献２参照）。このような半導体製造装置では、処理ユニットおよび搬送ユニットの２つのユニットに対する操作権を１つの端末装置に対して設定して、基板の搬送動作を調整する。
【０００５】
しかしながら、１つの端末装置が処理ユニットおよび搬送ユニットの２つのユニットに対する操作権を有していると、必要以上に長い時間、他の作業者が両方のユニットの動作調整を行うことができない。結果として、半導体製造装置の動作調整作業の効率を十分に上げることができないという問題がある。
【０００６】
作業効率を上げるために、２つの端末装置に処理ユニットの操作権および搬送ユニットの操作権を分配する場合には、例えば、処理ユニットの動作調整中に、搬送ユニットが基板を処理ユニットに搬送するための動作を行ってしまうおそれがある。結果として、搬送アームの衝突や作業者のけがなどの危険（問題）が生じる可能性を排除することができない。
【０００７】
このような問題は、半導体製造装置に限定される問題ではなく、複数のユニットを備える他の複合装置にも生じうる問題である。例えば、液体供給ユニットと液体供給ユニットから送られる液体を用いて基板を処理する基板処理ユニットとを備える複合装置（例えば、めっき装置）において、液体供給ユニットが予期しないタイミングで基板処理ユニットに液体を供給する動作を行ってしまうおそれがある。
【０００８】
そこで、本発明は、動作調整作業を効率的に行い、かつ安全にユニットを調整することができる制御システムを提供することを目的とする。
本発明は、動作調整作業を効率的に行い、かつ安全にユニットを調整することができる制御システムのプログラムを記録した非一時的なコンピュータ読み取り可能な記録媒体を提供することを目的とする。
本発明は、動作調整作業を効率的に行い、かつ安全にユニットを調整することができる制御システムの方法を提供することを目的とする。
【課題を解決するための手段】
【０００９】
一態様では、半導体製造装置を構成する複数のユニットを制御する制御システムであって、前記制御システムは、制御装置と、前記制御装置に接続可能な複数の端末装置と、を備えており、前記制御装置は、前記複数の端末装置のうちいずれか２つが同時に前記複数のユニットのうちいずれか１つを操作することを許容しないインターロック機能を有し、前記複数のユニットは、アクセス対象ユニットと、前記アクセス対象ユニットにアクセス可能な調整対象ユニットと、を含み、前記制御装置は、処理プログラムを格納した記憶装置と、前記処理プログラムに従って演算を実行する処理装置と、を備えており、前記処理プログラムは、前記アクセス対象ユニットの排他的操作権を前記複数の端末装置のいずれにも付与していないことを条件として、前記複数の端末装置のうちの１つである対象端末装置から前記制御装置に送信された前記調整対象ユニットの前記アクセス対象ユニットへのアクセス操作権の要求に応じて、前記アクセス操作権を前記対象端末装置に付与する指令を含む、制御システムが提供される。
【００１０】
一態様では、前記処理プログラムは、前記調整対象ユニットの排他的操作権を前記対象端末装置に付与していることを条件として、前記アクセス操作権を前記対象端末装置に付与する指令を含む。
一態様では、前記複数のユニットは、前記調整対象ユニットに相当する第１調整対象ユニットと、第２調整対象ユニットと、をさらに含み、前記処理プログラムは、前記第２調整対象ユニットの前記アクセス対象ユニットへのアクセス操作権を取得した他の端末装置が存在していないことを条件として、前記アクセス操作権を前記対象端末装置に付与する指令を含む。
一態様では、前記複数の端末装置のそれぞれは、前記複数のユニットを操作するためのユニット操作画像を生成する画像生成部と、前記ユニット操作画像を表示する画像表示器と、を備え、前記ユニット操作画像は、前記アクセス操作権を要求するか否かを示すアクセス操作権要求アイコンを含んでいる。
【００１１】
一態様では、前記アクセス操作権要求アイコンは、ボタン、チェックボックス、およびコンボボックスのいずれかであり、前記画像生成部は、画像表示プログラムを格納した記憶装置と、前記画像表示プログラムに従って演算を実行する処理装置と、を備えており、前記画像表示プログラムは、前記アクセス操作権の取得を条件に、前記アクセス操作権要求アイコンの表示を切り替える指令を含む。
一態様では、前記ユニット操作画像は、前記調整対象ユニットの排他的操作権を要求するか否かを示す排他的操作権要求アイコンを含んでおり、前記排他的操作権要求アイコンは、ボタン、チェックボックス、およびコンボボックスのいずれかであり、前記画像表示プログラムは、前記排他的操作権の取得を条件に、前記排他的操作権要求アイコンの表示を切り替える指令を含む。
【００１２】
一態様では、半導体製造装置を構成する複数のユニットを制御する制御システムの処理プログラムを記録した非一時的なコンピュータ読み取り可能な記録媒体であって、コンピュータに、前記制御システムに備えられた複数の端末装置のうちの１つである対象端末装置から、前記複数のユニットに含まれる調整対象ユニットのアクセス対象ユニットへのアクセス操作権を制御装置に要求し、前記アクセス対象ユニットの排他的操作権を前記複数の端末装置のいずれにも付与していないことを条件として、前記アクセス操作権を前記対象端末装置に付与する処理を実行させる前記処理プログラムを記録した非一時的なコンピュータ読み取り可能な記録媒体が提供される。
【００１３】
一態様では、前記コンピュータに、前記調整対象ユニットの排他的操作権を前記対象端末装置に付与していることを条件として、前記アクセス操作権を前記対象端末装置に付与する処理を実行させる。
一態様では、前記コンピュータに、前記調整対象ユニットに相当する第１調整対象ユニットとは異なる第２調整対象ユニットの前記アクセス対象ユニットへのアクセス操作権を取得した他の端末装置が存在していないことを条件として、前記アクセス操作権を前記対象端末装置に付与する処理を実行させる。
【００１４】
一態様では、半導体製造装置を構成する複数のユニットを制御する制御システムの方法であって、前記制御システムに備えられた複数の端末装置のうちの１つである対象端末装置から、前記複数のユニットに含まれる調整対象ユニットのアクセス対象ユニットへのアクセス操作権を制御装置に要求し、前記アクセス対象ユニットの排他的操作権を前記複数の端末装置のいずれにも付与していないことを条件として、前記アクセス操作権を前記対象端末装置に付与する、方法が提供される。
【００１５】
一態様では、前記調整対象ユニットの排他的操作権を前記対象端末装置に付与していることを条件として、前記アクセス操作権を前記対象端末装置に付与する。
一態様では、前記調整対象ユニットに相当する第１調整対象ユニットとは異なる第２調整対象ユニットの前記アクセス対象ユニットへのアクセス操作権を取得した他の端末装置が存在していないことを条件として、前記アクセス操作権を前記対象端末装置に付与する。
【００１６】
一参考例では、半導体製造装置を構成する複数のユニットを制御する制御システムであって、前記制御システムは、制御装置と、前記制御装置に接続可能な複数の端末装置と、を備えており、前記制御装置は、前記複数の端末装置のうちいずれか２つが同時に前記複数のユニットのうちいずれか１つを操作することを許容しないインターロック機能を有し、前記複数のユニットは、アクセス対象ユニットと、前記アクセス対象ユニットにアクセス可能な調整対象ユニットと、を含み、前記制御装置は、前記アクセス対象ユニットの排他的操作権を前記複数の端末装置のいずれにも付与していないことを条件として、前記複数の端末装置のうちの１つである対象端末装置から前記制御装置に送信された前記調整対象ユニットの前記アクセス対象ユニットへのアクセス操作権の要求に応じて、前記アクセス操作権を前記対象端末装置に付与するように構成されている、制御システムが提供される。
【００１７】
一参考例では、半導体製造装置を構成する複数のユニットを制御する制御システムであって、前記制御システムは、制御装置と、前記制御装置に接続可能な複数の端末装置と、を備えており、前記制御装置は、前記複数の端末装置のうちいずれか２つが同時に前記複数のユニットのうちいずれか１つを操作することを許容しないインターロック機能を有し、前記複数のユニットは、アクセス対象ユニットと、前記アクセス対象ユニットにアクセス可能な調整対象ユニットと、を含み、前記制御装置は、処理プログラムを格納した記憶装置と、前記処理プログラムに従って演算を実行する処理装置と、を備えており、前記処理プログラムは、前記アクセス対象ユニットの排他的操作権を前記複数の端末装置のいずれにも付与していないことを条件として、前記複数の端末装置のうちの１つである対象端末装置から前記制御装置に送信された前記調整対象ユニットの前記アクセス対象ユニットへのアクセス操作権の要求に応じて、前記アクセス操作権を前記対象端末装置に付与する動作を前記制御装置に実行させる、制御システムが提供される。
【発明の効果】
【００１８】
制御システムは、アクセス対象ユニットの排他的操作権を複数の端末装置のいずれにも付与していないことを条件として、アクセス操作権を対象端末装置に付与する。したがって、作業者は、ユニットの動作調整作業を効率的に、かつ安全に行うことができる。
【図面の簡単な説明】
【００１９】
【図１】半導体製造装置の一実施形態を示す模式図である。
【図２】制御システムの構成を示す図である。
【図３】サーバー装置の構成を示す模式図である。
【図４】図４（ａ）、図４（ｂ）、および図４（ｃ）は端末装置の操作画面を示す図である。
【図５】メインアイコンの表示の切り替えを示す図である。
【図６】ユニット操作画像の他の実施形態を示す図である。
【図７】対象端末装置が調整対象ユニットの排他的操作権を取得する際の制御装置の処理フローの一実施形態を示す図である。
【図８】対象端末装置が調整対象ユニットの排他的操作権を取得する際の制御装置の処理フローの他の実施形態を示す図である。
【図９】端末装置とサーバー装置との間の通信を示す図である。
【図１０】対象端末装置が調整対象ユニットの排他的操作権を取得する際の制御装置の処理フローのさらに他の実施形態を示す図である。
【図１１】対象端末装置がアクセス操作権を取得する際の制御装置の処理フローの一実施形態を示す図である。
【発明を実施するための形態】
【００２０】
以下、本発明の実施形態について図面を参照して説明する。
図１は、半導体製造装置１の一実施形態を示す模式図である。効率的に、かつ安全に半導体製造装置１の各ユニットを調整することができるシステム（以下、これを制御システム２０と呼ぶことがある）は図１に示す半導体製造装置１に適用可能である。
【００２１】
制御システム２０は、半導体製造装置１にのみ適用されるものではなく、複数のユニットを備える他の装置であっても同様に適用されてもよい。例えば、制御システム２０は、複数のめっきユニットおよび搬送ユニットを備えるめっき装置にも適用可能である。一実施形態では、めっき装置は、液体供給ユニットと、液体供給ユニットから送られる液体を用いて基板を処理する基板処理ユニットとを備えてもよい。制御システム２０の詳細については、後述する。
【００２２】
図１に示すように、半導体製造装置１は、ウェハなどの基板を研磨し、洗浄および乾燥させる一連の工程を行うことができる複合装置である。半導体製造装置１は、ハウジング２を備えており、ハウジング２の内部は複数の隔壁（図示しない）によってロード／アンロードユニット３と、研磨ユニット４Ａ，４Ｂと、洗浄ユニット５とに区画されている。半導体製造装置１は、各ユニット（本実施形態では、ロード／アンロードユニット３、研磨ユニット４Ａ，４Ｂ、および洗浄ユニット５）の動作を制御する制御装置１０を備えている。制御装置１０はハウジング２の内部に配置されている。
【００２３】
ロード／アンロードユニット３は、多数のウェハ（基板）を内部に収容したウェハカセットが載置される複数のロードポート１１を備えている。ロード／アンロードユニット３に隣接して、第１搬送ユニット１２が配置されている。第１搬送ユニット１２に隣接して、ステージ１５が配置されている。第１搬送ユニット１２は、ロード／アンロードユニット３およびステージ１５にアクセスして、ウェハを搬送することができる。
【００２４】
研磨ユニット４Ａ，４Ｂは、ウェハの表面を化学機械的に研磨するユニットである。研磨ユニット４Ａ，４Ｂは、同一の構成を有している。図示しないが、研磨ユニット４Ａ，４Ｂのそれぞれは、研磨テーブルと、ウェハを保持し、ウェハを研磨テーブル上の研磨パッドに押圧するためのトップリングと、研磨パッドに研磨液（スラリー）を供給するための研磨液供給ノズルとを備えている。
【００２５】
研磨ユニット４Ａ，４Ｂに隣接して、第２搬送ユニット１６が配置されている。第２搬送ユニット１６は、ステージ１５および研磨ユニット４Ａ，４Ｂにアクセスして、ウェハを搬送することができる。
【００２６】
洗浄ユニット５は、研磨ユニット４Ａ，４Ｂに隣接している。洗浄ユニット５は、研磨されたウェハを洗浄し、乾燥させるユニットである。第１搬送ユニット１２は、洗浄ユニット５にアクセスして、ウェハを搬送することができる。
【００２７】
ウェハを処理する処理フローについて、説明する。第１搬送ユニット１２は、ロード／アンロードユニット３に存在するウェハ（未処理ウェハ）をステージ１５に搬送する。第２搬送ユニット１６は、ステージ１５上に載置されたウェハを研磨ユニット４Ａ，４Ｂのいずれかに搬送する。ウェハを受け取った研磨ユニットは、ウェハの表面を研磨する。研磨されたウェハは第２搬送ユニット１６によって再びステージ１５に搬送される。
【００２８】
第１搬送ユニット１２は、ステージ１５上に載置されたウェハを洗浄ユニット５に搬送する。洗浄ユニット５は、ウェハを洗浄および乾燥する。乾燥されたウェハは、第１搬送ユニット１２によってロード／アンロードユニット３に搬送される。このようにして、ウェハの研磨、洗浄、乾燥がこの順に行われる。
【００２９】
ロード／アンロードユニット３、研磨ユニット４Ａ，４Ｂ、ステージ１５、および洗浄ユニット５のそれぞれは、処理ユニットと呼ばれる。第１搬送ユニット１２は、ロード／アンロードユニット３、洗浄ユニット５、およびステージ１５にアクセスすることができる。第２搬送ユニット１６は、ステージ１５および研磨ユニット４Ａ，４Ｂにアクセスすることができる。したがって、搬送ユニット１２，１６は、それぞれ、処理ユニットにアクセス可能である。搬送ユニット１２，１６の動作は制御装置１０によって制御される。
【００３０】
図１に示すように、半導体製造装置１は、１つのユニットを排他的に操作するための操作権を端末装置に付与する制御システム２０を備えている。制御システム２０は、作業の安全性を確保しつつ、効率的に作業を実行させることができる排他システムを搭載している。制御システム２０は、制御装置１０と、制御装置１０を通じて、複数のユニット（本実施形態では、処理ユニットおよび搬送ユニット）を選択的に操作する複数の端末装置Ｔ１，Ｔ２，Ｔ３と、を備えている。
【００３１】
制御装置１０は、半導体製造装置１の内部に組み込まれており、端末装置Ｔ１，Ｔ２，Ｔ３の一部またはすべては、半導体製造装置１の制御装置１０に切り離し可能に接続される。制御装置１０は、端末装置Ｔ１，Ｔ２，Ｔ３のうちいずれか２つが同時に複数のユニットのうちいずれか１つを操作することを許容しないインターロック機能を有している。
【００３２】
ユニットは、ある目的（レシピの処理、ウェハの搬送など）を実行するための機器（センサ、モータなど）の集合体（ステージ、プロセスチャンバ、搬送ロボットなど）を意味する。本実施形態では、ユニットは、上記処理ユニットおよび上記搬送ユニットの総称である。
【００３３】
本実施形態では、ユニットの数よりも少ない数の端末装置が設けられている。これら端末装置Ｔ１，Ｔ２，Ｔ３のそれぞれは、すべてのユニットのいずれか（本実施形態では、ロード／アンロードユニット３、研磨ユニット４Ａ，４Ｂ、洗浄ユニット５、第１搬送ユニット１２、第２搬送ユニット１６、またはステージ１５）を操作可能である。本実施形態では、３つの端末装置が設けられているが、端末装置の数は本実施形態には限定されない。
【００３４】
半導体製造装置１の内部には、制御装置１０、処理ユニット３，４Ａ，４Ｂ，５，１５、および搬送ユニット１２，１６を接続するネットワーク（図示しない）が構築されている。端末装置Ｔ１，Ｔ２，Ｔ３は、このネットワークに接続可能である。したがって、端末装置Ｔ１，Ｔ２，Ｔ３（および制御装置１０）は、ネットワークを介して処理ユニットおよび搬送ユニットに接続可能である。端末装置Ｔ１，Ｔ２，Ｔ３の一例としては、パーソナルコンピュータ、携帯端末装置などが挙げられる。
【００３５】
本実施形態では、端末装置Ｔ１，Ｔ２，Ｔ３は、１つの装置（すなわち、半導体製造装置１）に接続されることが可能である。排他的操作権は、１つのユニットの排他的な操作を許可する権利である。したがって、１つの端末装置が１つのユニットの排他的操作権を動的に取得すると、排他的操作権を取得した端末装置は、調整の対象となる調整対象ユニットの操作を独占することができる。排他的操作権を取得した端末装置は、調整対象ユニットの排他的操作権を任意に解除することができる。
【００３６】
図２は、制御システム２０の構成を示す図である。図２では、説明を簡単にするために、ユニットＵＡ、ユニットＵＢ、ユニットＵＣがハウジング２の内部に設けられている例について、説明する。本実施形態では、ユニットＵＡ，ＵＣは、処理ユニットであり、ユニットＵＢは、搬送ユニットである。ユニットＵＢは、ユニットＵＡおよびユニットＵＣにアクセス可能である。
【００３７】
一実施形態では、ユニットＵＢは、液体供給ユニットであり、ユニットＵＡ，ＵＣは、液体供給ユニットから送られた液体を用いて、基板を処理する基板処理ユニットであってもよい。液体供給ユニット（すなわち、ユニットＵＢ）は、液体供給ライン（図示しない）を通じて基板処理ユニット（すなわち、ユニットＵＡ，ＵＣ）に液体を供給するように構成されている。この場合であっても、ユニットＵＢは、ユニットＵＡおよびユニットＵＣにアクセス可能である。本明細書において、「アクセス」とは、あるユニットに物理的な影響を及ぼすユニットの動作を意味する。
【００３８】
図２に示すように、制御装置１０は、端末装置Ｔ１，Ｔ２，Ｔ３に接続されたサーバー装置２５と、ユニットＵＡ、ユニットＵＢ、およびユニットＵＣの動作を制御するためのシーケンサ（例えば、ＰＬＣ）２６とを備えている。
【００３９】
サーバー装置２５は、装置パラメータ、レシピ、ジョブなどのデータ管理、シーケンサ２６に対するユニットの操作コマンドの発行、および／または、各端末装置へのユニットの状態の通知を行うサーバー処理プログラムがインストールされたコンピュータ（パーソナルコンピュータ）である。後述する、各ユニットの排他的操作権の調停（すなわち、排他的操作権の振り分け）も、サーバー処理プログラムにより実行される。
【００４０】
本実施形態では、サーバー装置２５は、コンピュータから構成される。図３は、サーバー装置２５の構成を示す模式図である。サーバー装置２５は、プログラムやデータなどが格納される記憶装置１１０と、記憶装置１１０に格納されているプログラムに従って演算を行うＣＰＵ（中央処理装置）またはＧＰＵ（グラフィックプロセッシングユニット）などの処理装置１２０と、データ、プログラム、および各種情報を記憶装置１１０に入力するための入力装置１３０と、処理結果や処理されたデータを出力するための出力装置１４０と、インターネットまたはローカルエリアネットワークなどの通信ネットワークに接続するための通信装置１５０を備えている。
【００４１】
一実施形態では、サーバー装置２５は、入力装置１３０および出力装置１４０を備えていなくてもよい。この場合、端末装置Ｔ１，Ｔ２，Ｔ３のそれぞれは、入力装置１３０および出力装置１４０の機能を有している。
【００４２】
記憶装置１１０は、処理装置１２０がアクセス可能な主記憶装置１１１と、データおよびプログラムを格納する補助記憶装置１１２を備えている。主記憶装置１１１は、例えばランダムアクセスメモリ（ＲＡＭ）であり、補助記憶装置１１２は、ハードディスクドライブ（ＨＤＤ）またはソリッドステートドライブ（ＳＳＤ）などのストレージ装置である。
【００４３】
入力装置１３０は、キーボード、マウスを備えており、さらに、記録媒体からデータを読み出すための記録媒体読み出し装置１３２と、記録媒体が接続される記録媒体ポート１３４を備えている。記録媒体は、非一時的な有形物であるコンピュータ読み取り可能な記録媒体であり、例えば、光ディスク（例えば、ＣＤ−ＲＯＭ、ＤＶＤ−ＲＯＭ）や、半導体メモリー（例えば、ＵＳＢフラッシュドライブ、メモリーカード）である。記録媒体読み出し装置１３２の例としては、ＣＤ−ＲＯＭドライブ、ＤＶＤ−ＲＯＭドライブなどの光学ドライブや、メモリーリーダーが挙げられる。記録媒体ポート１３４の例としては、ＵＳＢポートが挙げられる。記録媒体に記憶されているプログラムおよび／またはデータは、入力装置１３０を介してサーバー装置２５に導入され、記憶装置１１０の補助記憶装置１１２に格納される。出力装置１４０は、ディスプレイ装置１４１、印刷装置１４２を備えている。
【００４４】
図４（ａ）は端末装置Ｔ１の操作画面３０を示す図であり、図４（ｂ）は端末装置Ｔ２の操作画面３０を示す図であり、図４（ｃ）は端末装置Ｔ３の操作画面３０を示す図である。図４（ａ）乃至図４（ｃ）に示すように、端末装置Ｔ２，Ｔ３のそれぞれの操作画面３０上には、端末装置Ｔ１の操作画面３０と同一の画像が表示される。したがって、以下、端末装置Ｔ１の操作画面３０上に表示される画像について説明する。
【００４５】
端末装置Ｔ１の操作画面３０上には、ユニットＵＡを操作するためのユニット操作画像３１と、ユニットＵＢを操作するためのユニット操作画像３２と、ユニットＵＣを操作するためのユニット操作画像３３とが表示される。これらユニット操作画像３１，３２，３３は、ユーザーインターフェースである。本実施形態では、ユニット操作画像３１，３２，３３は、グラフィカルユーザーインターフェース（ＧＵＩ）である。
【００４６】
端末装置Ｔ１，Ｔ２，Ｔ３のそれぞれには、半導体製造装置１に備えられた装置を制御するためのプログラム（装置制御プログラム）がインストールされている。端末装置Ｔ１，Ｔ２，Ｔ３のそれぞれには、ユニットＵＡ、ユニットＵＢ、およびユニットＵＣの排他的操作権を取得するための複数のメインアイコン（排他的操作権要求アイコン）ＭＣＡ，ＭＣＢ，ＭＣＣを端末装置Ｔ１，Ｔ２，Ｔ３のそれぞれの操作画面３０上に表示させる画像表示プログラムがインストールされている。したがって、各端末装置Ｔ１，Ｔ２，Ｔ３は、その操作画面３０上に複数のメインアイコンＭＣＡ，ＭＣＢ，ＭＣＣを表示する。
【００４７】
制御装置１０には、上記装置制御プログラムおよび画像表示プログラムと同一のプログラムがインストールされている。図１に示すように、半導体製造装置１は、制御装置１０に接続された表示装置４０を備えている。作業者は、表示装置４０を通じて、ユニットＵＡ、ユニットＵＢ、およびユニットＵＣのそれぞれを操作してもよい。
【００４８】
本実施形態では、メインアイコンＭＣＡは、ユニット操作画像３１の一部に表示され、メインアイコンＭＣＢは、ユニット操作画像３２の一部に表示され、メインアイコンＭＣＣは、ユニット操作画像３３の一部に表示される。
【００４９】
図４（ａ）乃至図４（ｃ）に示す実施形態では、メインアイコンＭＣＡ，ＭＣＢ，ＭＣＣのそれぞれは、鍵マークを有するボタンである。メインアイコンＭＣＡ，ＭＣＢ，ＭＣＣは、互いに識別するための識別子を有してもよい。識別子の一例として、ユニットごとに予め定義された数値、ビット情報、または文字列を挙げることができる。識別子を設けることにより、ユニットのメンテナンス性および安全性を向上させることができる。
【００５０】
図５は、メインアイコンＭＣＡの表示の切り替えを示す図である。メインアイコンＭＣＡの切り替えの画像と、メインアイコンＭＣＢ，ＭＣＣの切り替えの画像とは同一である。したがって、図５では、メインアイコンＭＣＢ，ＭＣＣの切り替えの画像の図示は省略されている。
【００５１】
図５に示すように、端末装置Ｔ１，Ｔ２，Ｔ３のそれぞれは、調整対象ユニットの排他的操作権の取得を条件に、選択されたメインアイコンＭＣＡの表示を切り替える。調整対象ユニットの排他的操作権が取得されると、メインアイコンＭＣＡは、施錠された画像から解錠された画像に切り替えられる。
【００５２】
端末装置Ｔ１，Ｔ２，Ｔ３のそれぞれは、ユニットＵＡ、ユニットＵＢ、およびユニットＵＣのそれぞれを操作するためのユニット操作画像を生成する画像生成部４２と、画像生成部４２によって生成された画像を表示する画像表示器４３と、を備えている（図２参照）。上記メインアイコンＭＣＡ，ＭＣＢ，ＭＣＣおよび後述するサブアイコンＳＣＡ，ＳＣＣは、画像表示器４３の操作画面３０上に表示される。図示しないが、表示装置４０もユニットＵＡ、ユニットＵＢ、およびユニットＵＣのそれぞれを操作するためのユニット操作画像を生成する画像生成部と、画像生成部によって生成された画像を表示する画像表示器と、を備えている。
【００５３】
画像生成部４２は、上記画像表示プログラムを格納した記憶装置（上記記憶装置１１０に相当する）と、画像表示プログラムに従って演算を実行する処理装置（上記処理装置１２０に相当する）と、を備えている。画像生成部４２は、調整対象ユニットの排他的操作権の取得を条件に、メインアイコンＭＣＡの表示を切り替える。
【００５４】
図６は、ユニット操作画像３１，３２，３３の他の実施形態を示す図である。図６に示すように、メインアイコンＭＣＡ，ＭＣＢ，ＭＣＣのそれぞれは、チェックボックス、またはコンボボックスであってもよい。このように、メインアイコンＭＣＡ，ＭＣＢ，ＭＣＣのそれぞれは、操作画面３０上に視認可能な状態で表示される。したがって、作業者は、排他的操作権の取得の有無を一見して容易に認識することができる。
【００５５】
図７は、対象端末装置が調整対象ユニットの排他的操作権を取得する際の制御装置１０の処理フローの一実施形態を示す図である。図７に示すように、端末装置Ｔ１，Ｔ２，Ｔ３のうちの対象となる端末装置（対象端末装置）は、操作画面３０上に表示された複数のメインアイコンＭＣＡ，ＭＣＢ，ＭＣＣから選択された１つのメインアイコンに対応する調整対象ユニットの排他的操作権の取得を制御装置１０（より具体的には、サーバー装置２５）に要求する。より具体的には、対象端末装置から制御装置１０に要求信号が送信される。
【００５６】
制御装置１０（より具体的には、サーバー装置２５）は、記憶装置１１０に電気的に格納されたプログラムに従って動作する。制御装置１０は、対象端末装置からの要求（要求信号）を受けると、対象端末装置が既に調整対象ユニットの排他的操作権を取得しているか否かを判定する（ステップＳ１０１参照）。対象端末装置が調整対象ユニットの排他的操作権を取得している場合（ステップＳ１０１の「Ｙｅｓ」参照）、制御装置１０は、調整対象ユニットの排他的操作権の取得の成功を決定し、許可信号を対象端末装置に送信する。このようにして、制御装置１０は、その処理を終了する。
【００５７】
対象端末装置が調整対象ユニットの排他的操作権を取得していない場合（ステップＳ１０１の「Ｎｏ」参照）、制御装置１０は、対象端末装置が調整対象ユニット以外の他のユニットの排他的操作権を取得しているか否かを判定する（ステップＳ１０２参照）。対象端末装置が他のユニットの排他的操作権を取得していない場合（ステップＳ１０２の「Ｎｏ」参照）、制御装置１０は、調整対象ユニットの排他的操作権の取得の成功を決定する。
【００５８】
対象端末装置が他のユニットの排他的操作権を取得している場合（ステップＳ１０２の「Ｙｅｓ」参照）、制御装置１０は、既に取得している他のユニットの排他的操作権を解除して（ステップＳ１０３参照）、調整対象ユニットの排他的操作権の取得の成功を決定する。
【００５９】
このように、制御装置１０は、排他的操作権の取得を要求した対象端末装置が複数のユニットの排他的操作権のいずれも取得していない、または既に取得している排他的操作権を解除するとの要件を満たすことを条件に、調整対象ユニットの排他的操作権の取得を許可する。本実施形態によれば、対象端末装置は、１つの対象ユニットの排他的操作権を流動的に取得することができる。
【００６０】
図４および図６に示すように、操作画面３０上には、複数のユニット操作画像が表示される。操作画面３０上に表示される画像は、複数のユニット操作画像に限られず、装置パラメータ画像、レシピ設定画像も操作画面３０上に表示される場合がある。このように、あらゆる画像が表示された状態で、作業者が、特定のユニットの操作を実行する場合、画像の選択ミスにより、異なるユニットの操作を行ってしまうおそれがある。本実施形態によれば、対象端末装置は、１つの対象ユニットの排他的操作権を取得する。したがって、仮に、作業者が画像の選択ミスを行ってしまっても、異なるユニットの操作が行われてしまうという問題は生じない。
【００６１】
上述したステップをサーバー装置２５に実行させるためのプログラムは、非一時的な有形物であるコンピュータ読み取り可能な記録媒体に記憶され、記録媒体を介してサーバー装置２５に提供される。または、プログラムは、インターネットまたはローカルエリアネットワークなどの通信ネットワークを介してサーバー装置２５に提供されてもよい。
【００６２】
調整対象ユニットの排他的操作権の取得について、図６を例に説明する。作業者が端末装置Ｔ１におけるユニット操作画像３１のメインアイコンＭＣＡを選択（例えば、マウスでクリック）すると、端末装置Ｔ１は、ユニットＵＡの排他的操作権を制御装置１０に要求する。
【００６３】
図６では、端末装置Ｔ１は、ユニットＵＡ，ＵＢ，ＵＣの排他的操作権のいずれも取得していない。したがって、制御装置１０は、ユニットＵＡの排他的操作権の取得を端末装置Ｔ１に対して許可する。端末装置Ｔ１がユニットＵＡの排他的操作権を取得すると、制御装置１０は、端末装置Ｔ１のユニット操作画像３１上において、メインアイコンＭＣＡの表示を切り替える。
【００６４】
図８は、対象端末装置が調整対象ユニットの排他的操作権を取得する際の制御装置１０の処理フローの他の実施形態を示す図である。制御装置１０は、図８に示す複数のステップを実行することによって、調整対象ユニットの排他的操作権の取得を許可してもよい。
【００６５】
図８に示すように、制御装置１０は、図７のステップＳ１０１と同様のステップを実行し（ステップＳ２０１参照）、対象端末装置が調整対象ユニットの排他的操作権を取得している場合（ステップＳ２０１の「Ｙｅｓ」参照）、制御装置１０は、調整対象ユニットの排他的操作権の取得の成功を決定する。
【００６６】
対象端末装置が調整対象ユニットの排他的操作権を取得していない場合（ステップＳ２０１の「Ｎｏ」参照）、制御装置１０は、調整対象ユニットの排他的操作権を取得した他の端末装置が存在するか否かを判定する（ステップＳ２０２参照）。調整対象ユニットの排他的操作権を取得した他の端末装置が存在する場合（ステップＳ２０２の「Ｙｅｓ」参照）、制御装置１０は、調整対象ユニットの排他的操作権の取得の失敗を決定する。このようにして、制御装置１０は、その処理を終了する。
【００６７】
調整対象ユニットの排他的操作権を取得した他の端末装置が存在しない場合（ステップＳ２０２の「Ｎｏ」参照）、制御装置１０は、図７のステップＳ１０２，Ｓ１０３と同様のステップを実行し（ステップＳ２０３，Ｓ２０４参照）、調整対象ユニットの排他的操作権の取得の成功を決定する。
【００６８】
同一の端末装置で排他的操作権を取得することができるユニットの数は１つである。すなわち、１つの端末装置は、１つのユニットの排他的操作権のみを取得することができる。図６を例に説明すると、端末装置Ｔ１がユニットＵＡの排他的操作権を取得する場合、端末装置Ｔ１は、ユニットＵＢおよびユニットＵＣの排他的操作権を取得することができない（図６の実線で囲まれた領域参照）。
【００６９】
あるユニットを排他的に操作することができる端末装置は１つである。したがって、制御システム２０は、複数の端末装置による１つのユニットの同時操作を防止することができる。図６を例に説明すると、端末装置Ｔ１がユニットＵＡの排他的操作権を取得する場合、ユニットＵＡの排他的操作権を取得している他の端末装置Ｔ２，Ｔ３が存在していないことを条件として、端末装置Ｔ１はユニットＵＡの排他的操作権を取得することができる（図６の点線で囲まれた領域参照）。
【００７０】
図９は、端末装置とサーバー装置２５との間の通信を示す図である。図９に示すように、作業者が調整対象ユニットの排他的操作権の取得要求を操作すると、対象端末装置は、サーバー装置２５に排他的操作権の取得要求（要求信号）を送信する。サーバー装置２５が排他的操作権の取得要求を受けると、排他的操作権の取得が可能であるか否かを判定する。排他的操作権の取得が許可される場合、サーバー装置２５は、その旨を示す信号（許可信号）を端末装置に送信する。排他的操作権の取得が許可されない場合、サーバー装置２５は、その旨を示す信号（不許可信号）を端末装置に送信する。端末装置は、上記許可信号を受けると、排他的操作権を取得し、上記不許可信号を受けると、排他的操作権を取得しない。
【００７１】
一実施形態では、調整対象ユニットの排他的操作権を取得することができなかった対象端末装置は、制御装置１０を通じて、調整対象ユニットの排他的操作権を取得した他の端末装置に対して、排他的操作権の取得要求を実行することができる。対象端末装置が排他的操作権の取得要求を実行すると、制御装置１０は、調整対象ユニットの排他的操作権を取得した他の端末装置に対して、対象端末装置による排他的操作権の取得を許可するか否かの確認を要求する。他の端末装置が対象端末装置による排他的操作権の取得を許可する場合、対象端末装置は調整対象ユニットの排他的操作権を取得する。他の端末装置が対象端末装置による排他的操作権の取得を許可しない場合、対象端末装置は調整対象ユニットの排他的操作権を取得しない。
【００７２】
端末装置Ｔ１がユニットＵＡの排他的操作権を取得し、端末装置Ｔ２がユニットＵＢの排他的操作権を取得し、端末装置Ｔ３がユニットＵＣの排他的操作権を取得している場合、次のような問題が生じうる。ユニットＵＢが搬送ユニットである場合、ユニットＵＢはユニットＵＡおよびユニットＵＣの両方にアクセス可能である。したがって、ユニットの動作調整時において、作業者が端末装置Ｔ２でユニットＵＢをユニットＵＡ（またはユニットＵＣ）にアクセスさせると、例えば、ユニットＵＢの搬送ロボットの基板搬送ハンドがユニットＵＡ（またはユニットＵＣ）の基板処理ステージに衝突するおそれがある。あるいは、ユニットＵＡ（またはユニットＵＣ）で作業している作業者が危険にさらされるおそれがある。
【００７３】
そこで、制御システム２０は、調整対象ユニットのアクセス操作権を取得するための構成を有している。具体的には、端末装置Ｔ１，Ｔ２，Ｔ３のそれぞれは、ユニットＵＢのユニットＵＡへのアクセス操作権を取得するためのサブアイコン（アクセス操作権要求アイコン）ＳＣＡと、ユニットＵＣへのアクセス操作権を取得するためのサブアイコン（アクセス操作権要求アイコン）ＳＣＣと、を操作画面３０上に表示する（図４および図６参照）。本実施形態では、サブアイコンＳＣＡ，ＳＣＣは、ユニット操作画像３２の一部に表示される。なお、図４では、サブアイコンＳＣＣはユニット操作画像３３の裏に隠れている。
【００７４】
サブアイコンＳＣＡ，ＳＣＣのそれぞれは、ボタンであってもよく、チェックボックスまたはコンボボックスであってもよい。サブアイコンＳＣＡ、ＳＣＣのそれぞれは、メインアイコンＭＣＡ，ＭＣＢ，ＭＣＣのそれぞれと同一の形態で表示されてもよく、または異なる形態で表示されてもよい。
【００７５】
アクセス操作権は、搬送ユニットの他のユニット（処理ユニット）へのアクセスを許可する権利である。したがって、ある端末装置がアクセス操作権を取得すると、他の端末装置は、アクセス操作権の対象となるアクセス対象ユニットの排他的操作権を取得することができない。言い換えれば、他の端末装置がアクセス対象ユニットの排他的操作権を取得している場合、対象端末装置は、搬送ユニットのアクセス対象ユニットへのアクセス操作権を取得することができない。
【００７６】
このような構成により、アクセス操作権を取得した端末装置は、搬送ユニットを処理ユニットに安全にアクセスさせることができる。アクセス操作権を取得した端末装置は、アクセス操作権を任意に解除することができる。なお、アクセス操作権を取得する場合における端末装置とサーバー装置２５との間の通信は、図９に示す実施形態と同一であるので、その詳細な説明を省略する。
【００７７】
図１０は、対象端末装置が調整対象ユニットの排他的操作権を取得する際の制御装置１０の処理フローのさらに他の実施形態を示す図である。制御装置１０は、図１０に示す複数のステップを実行することによって、調整対象ユニットの排他的操作権の取得を許可してもよい。
【００７８】
図１０に示すように、制御装置１０は、図７のステップＳ１０１と同様のステップを実行し（ステップＳ３０１参照）、対象端末装置が調整対象ユニットの排他的操作権を取得している場合（ステップＳ３０１の「Ｙｅｓ」参照）、制御装置１０は、調整対象ユニットの排他的操作権の取得の成功を決定する。
【００７９】
対象端末装置が調整対象ユニットの排他的操作権を取得していない場合（ステップＳ３０１の「Ｎｏ」参照）、制御装置１０は、図８のステップＳ２０２と同様のステップを実行し（ステップＳ３０２参照）、調整対象ユニットの排他的操作権を取得した他の端末装置が存在する場合（ステップＳ３０２の「Ｙｅｓ」参照）、制御装置１０は、調整対象ユニットの排他的操作権の取得の失敗を決定する。
【００８０】
調整対象ユニットの排他的操作権を取得した他の端末装置が存在しない場合（ステップＳ３０２の「Ｎｏ」参照）、制御装置１０は、調整対象ユニットへのアクセス操作権を取得した他の端末装置が存在するか否かを判定する（ステップＳ３０３参照）。典型的には、搬送ユニットがアクセスしうるアクセス対象ユニットが調整対象ユニットである場合に、搬送ユニットの排他的操作権を取得している他の端末装置がアクセス対象ユニットへのアクセス操作権を取得しているか否かを判定する。調整対象ユニットへのアクセス操作権を取得した他の端末装置が存在する場合（ステップＳ３０３の「Ｙｅｓ」参照）、制御装置１０は、調整対象ユニットの排他的操作権の取得の失敗を決定する。
【００８１】
調整対象ユニットへのアクセス操作権を取得した他の端末装置が存在しない場合（ステップＳ３０３の「Ｎｏ」参照）、制御装置１０は、対象端末装置が他のユニットの排他的操作権を取得しているか否かを判定する（ステップＳ３０４参照）。対象端末装置が他のユニットの排他的操作権を取得していない場合（ステップＳ３０４の「Ｎｏ」参照）、制御装置１０は、調整対象ユニットの排他的操作権の取得の成功を決定する。
【００８２】
対象端末装置が他のユニットの排他的操作権を取得している場合（ステップＳ３０４の「Ｙｅｓ」参照）、制御装置１０は、既に取得している他のユニットの排他的操作権を解除して（ステップＳ３０５参照）、調整対象ユニットの排他的操作権の取得の成功を決定する。
【００８３】
対象端末装置が既に取得している他のユニットに属するアクセス操作権を取得している場合、制御装置１０は、既に取得しているアクセス操作権を解除して、調整対象ユニットの排他的操作権の取得の成功を決定する（ステップＳ３０５参照）。
【００８４】
このように、調整対象ユニットの排他的操作権を取得する場合、調整対象ユニットへのアクセス操作権を取得している他の端末装置が存在していないことが必要である。図６を例に説明すると、端末装置Ｔ１がユニットＵＡの排他的操作権を取得する場合、端末装置Ｔ２，Ｔ３のいずれもがユニットＵＢのユニットＵＡへのアクセス操作権を取得していないことが必要である（図６の点線の矢印参照）。図１の例で説明すれば、対象端末装置が洗浄ユニット５の排他的操作権を取得する際に、すなわち洗浄ユニットが調整対象ユニットである場合に、第１搬送ユニット１２が洗浄ユニット５にアクセスするアクセス操作権をいずれかの端末装置が取得していると、対象端末装置は洗浄ユニット５の排他的操作権を取得することはできない。
【００８５】
図１１は、対象端末装置がアクセス操作権を取得する際の制御装置１０の処理フローの一実施形態を示す図である。制御装置１０は、図１１に示す複数のステップを実行することによって、調整対象ユニットのアクセス対象ユニットへのアクセス操作権の取得を許可する。
【００８６】
図１１に示すように、対象端末装置は、操作画面３０上に表示されたサブアイコンＳＣＡ，ＳＣＣから選択された少なくとも１つのサブアイコンに対応する、調整対象ユニット（すなわち、調整の対象となる搬送ユニット）の、アクセスの対象となるユニット（すなわち、アクセス対象ユニット）へのアクセス操作権の取得を制御装置１０に要求する。以下、本明細書において、調整の対象となる搬送ユニットを対象搬送ユニットと呼ぶことがある。
【００８７】
図４または図６を例に説明すると、作業者が対象端末装置におけるユニット操作画像３２のサブアイコンＳＣＡまたはＳＣＣを選択（例えば、マウスでクリック）すると、対象端末装置は、選択されたアクセス対象ユニットへのアクセス操作権を制御装置１０に要求する。
【００８８】
制御装置１０は、対象端末装置からの要求を受けると、すでに対象端末装置が調整対象ユニットの排他的操作権を取得しているか否かを判定する（ステップＳ４０１参照）。対象端末装置が調整対象ユニットの排他的操作権を取得することができない場合（ステップＳ４０１の「Ｎｏ」参照）、制御装置１０は、アクセス操作権の取得の失敗を決定する。この場合、制御装置１０は、アクセス操作権を取得する前提として、自動的に図８または図１０に示す処理フローを実行して、対象端末装置の調整対象ユニットの排他的操作権を取得する。あるいは、作業者は調整対象ユニットの排他的操作権を取得するために、調整対象ユニットに対応するメインアイコンを選択して、制御装置１０に図８または図１０に示す処理フローを実行させる。
【００８９】
対象端末装置が調整対象ユニットの排他的操作権を取得した場合（ステップＳ４０１の「Ｙｅｓ」参照）、制御装置１０は、すでに対象端末装置が調整対象ユニットのアクセス対象ユニットへのアクセス操作権を取得しているか否かを判定する（ステップＳ４０２参照）。対象端末装置がアクセス操作権を取得している場合（ステップＳ４０２の「Ｙｅｓ」参照）、制御装置１０は、アクセス操作権の取得の成功を決定する。
【００９０】
対象端末装置がアクセス操作権を取得していない場合（ステップＳ４０２の「Ｎｏ」参照）、制御装置１０は、アクセス対象ユニットの排他的操作権を取得した他の端末装置が存在しているか否かを判定する（ステップＳ４０３参照）。この排他的操作権を取得した他の端末装置が存在している場合（ステップＳ４０３の「Ｙｅｓ」参照）、制御装置１０は、アクセス操作権の取得の失敗を決定する。
【００９１】
この排他的操作権を取得した他の端末装置が存在していない場合（ステップＳ４０３の「Ｎｏ」参照）、制御装置１０は、他の調整対象ユニットのアクセス対象ユニットへのアクセス操作権を取得した他の端末装置が存在するか否かを判定する（ステップＳ４０４参照）。このアクセス操作権を取得した他の端末装置が存在する場合、制御装置１０は、アクセス操作権の取得の失敗を決定する（ステップＳ４０４の「Ｙｅｓ」参照）。
【００９２】
アクセス操作権を取得した他の端末装置が存在しない場合（ステップＳ４０４の「Ｎｏ」参照）、制御装置１０は、アクセス操作権の取得の成功を決定する。
【００９３】
上記アクセス操作権を取得するための処理フローを図１の例で説明する。まず、調整対象ユニットが搬送ユニット１２であり、アクセス対象ユニットがステージ１５であり、搬送ユニット１６の排他的操作権を取得した端末装置が存在している場合を想定する。この場合、搬送ユニット１６の排他的操作権を取得した端末装置がステージ１５に対するアクセス操作権も取得していた場合には、対象端末装置は搬送ユニット１２がステージ１５に対してアクセスするアクセス操作権を取得することはできない。これにより、搬送ユニット１２を調整している作業者と搬送ユニット１６を調整している作業者が同時にステージ１５に対するアクセス動作を行うことで生じる問題（衝突等）を避けることができる。
【００９４】
調整対象ユニット（すなわち、対象搬送ユニット）のアクセス対象ユニットへのアクセス操作権を取得する場合、アクセス対象ユニットの排他的操作権を取得している端末装置が存在していないことが必要である。図６を例に説明すると、端末装置Ｔ１または端末装置Ｔ３がユニットＵＣの排他的操作権を取得している場合、端末装置Ｔ２は、ユニットＵＢのユニットＵＣへのアクセス操作権を取得することができない（図６の一点鎖線の矢印参照）。言い換えれば、端末装置Ｔ２がユニットＵＢのユニットＵＣへのアクセス操作権を取得している場合、端末装置Ｔ１または端末装置Ｔ３がユニットＵＣの排他的操作権の取得を制御装置１０に要求しても、制御装置１０は、ユニットＵＣの排他的操作権の取得を端末装置Ｔ１または端末装置Ｔ３に対して許可しない。
【００９５】
アクセス操作権を取得する場合、アクセス操作権が所属している搬送ユニット（すなわち、対象搬送ユニット）の排他的操作権を取得する必要がある。図６を例に説明すると、端末装置Ｔ２がユニットＵＢのユニットＵＣへのアクセス操作権を取得する場合、制御装置１０は、図１１に示す処理フローと、図８（または図１０）に示す処理フローとを実行して、ユニットＵＢの排他的操作権を成功した場合に、端末装置Ｔ２は、ユニットＵＢのユニットＵＣへのアクセス操作権を取得する（図６の実線の矢印参照）。
【００９６】
対象端末装置は、複数のアクセス操作権を取得してもよい。図６に示す実施形態では、端末装置Ｔ１はユニットＵＡの排他的操作権を取得しているため、端末装置Ｔ２はユニットＵＢのユニットＵＡへのアクセス操作権を取得することができない。端末装置Ｔ１がユニットＵＡの排他的操作権を取得していない場合、端末装置Ｔ２は、ユニットＵＢのユニットＵＣへのアクセス操作権のみならず、ユニットＵＢのユニットＵＡへのアクセス操作権をも取得することができる。
【００９７】
対象端末装置は、アクセス操作権の取得を条件に、選択されたサブアイコンの表示を切り替える。すなわち、画像生成部４２（図２参照）は、アクセス操作権の取得を条件に、サブアイコンの表示を切り替える。アクセス操作権が取得されると、サブアイコンは、施錠された画像から解錠された画像に切り替えられる（図５参照）。
【００９８】
上述した実施形態は、本発明が属する技術分野における通常の知識を有する者が本発明を実施できることを目的として記載されたものである。上記実施形態の種々の変形例は、当業者であれば当然になしうることであり、本発明の技術的思想は他の実施形態にも適用しうることである。したがって、本発明は、記載された実施形態に限定されることはなく、特許請求の範囲によって定義される技術的思想に従った最も広い範囲とすべきである。
【符号の説明】
【００９９】
１      半導体製造装置
２      ハウジング
３      ロード／アンロードユニット
４Ａ，４Ｂ      研磨ユニット
５      洗浄ユニット
１０      制御装置
１１      ロードポート
１２      第１搬送ユニット
１５      ステージ
１６      第２搬送ユニット
２０      制御システム
２５      サーバー装置
２６      シーケンサ
３０      操作画面
３１，３２，３３      ユニット操作画像
４０      表示装置
４２      画像生成部
４３      画像表示器
１１０    記憶装置
１１１    主記憶装置
１１２    補助記憶装置
１２０    処理装置
１３０    入力装置
１３２    記録媒体読み出し装置
１３４    記録媒体ポート
１４０    出力装置
１４１    ディスプレイ装置
１４２    印刷装置
１５０    通信装置
Ｔ１，Ｔ２，Ｔ３      端末装置
ＵＡ，ＵＢ，ＵＣ      ユニット
ＭＣＡ，ＭＣＢ，ＭＣＣ      メインアイコン（排他的操作権要求アイコン）
ＳＣＡ，ＳＣＣ      サブアイコン（アクセス操作権要求アイコン）
【図１】
2020126897.tif 000003
【図２】
2020126897.tif 000004
【図３】
2020126897.tif 000005
【図４】
2020126897.tif 000006
【図５】
2020126897.tif 000007
【図６】
2020126897.tif 000008
【図７】
2020126897.tif 000009
【図８】
2020126897.tif 000010
【図９】
2020126897.tif 000011
【図１０】
2020126897.tif 000012
【図１１】
2020126897.tif 000013